(57)【特許請求の範囲】
【請求項１】
突合せ溶接する円筒構造物の双方に、該円筒構造物の自重たわみを抑制するリング状補強材を各々溶接にて取付け、該リング状補強材に肌合せ治具を固定し、該肌合せ治具の端部または肌合せ治具に設けた接合板の下部に配設した油圧ジャッキまたは鋼製くさびにて両円筒構造物を肌合せした後、該両円筒構造物間に渡設した呼び寄せボルトにて該円筒構造物を呼び寄せた後、開先裏面に取付溶接を行いながら全周仮付溶接により前記両構造物を接合することを特徴とする円筒構造物の肌合せ方法。
【発明の詳細な説明】
【０００１】
【発明の属する技術分野】
本発明は、タンク、煙突、炉、水道管、大径配管等の大型円筒構造物の肌合せ方法に関するものである。
【０００２】
【従来の技術】
従来の円筒体継手の肌合せ作業は、継手箇所毎にガイドプレート及び肌合せ馬の取付け、取外し作業に時間を要し、また肌合せ馬及びガイドプレートを取外した後はグラインダ等で仕上げ補修しなければならず、更に両円筒体の仮付溶接が終わるまで、積重ねた円筒体は吊って置かなければならないのでクレーンの稼働率が悪い等の欠点がある。これを解消するために、例えば特開昭６０−２４２９９号公報に示すように、突合せ溶接させる一対の円筒体の何れか一方の突合せ端部に着脱可能に固定される装着リングと、同装着リング上に取付位置調整可能に固定され、両円筒体の突合せ端部に沿って延びる肌合せリングと、前記肌合せリングと円筒体突合せ部開先端部上とに跨って挿入される複数のスペーサとよりなる円筒体継手の肌合せ装置が知られている。
【０００３】
【発明が解決しようとする課題】
しかしながら、上述した特開昭６０−２４２９９号公報は、円筒構造物を横継ぎする際に、円筒構造物の自重によるたわみを片側のみ脱着式リングで拘束し、他方を拘束しないで肌合せするため、多大な肌違いが発生する。このように、脱着式リングでは円筒構造物に対する自重たわみの抑制が不充分であり、円筒構造物同志の呼び寄せが出来ない等の問題がある。
【０００４】
【課題を解決するための手段】
本発明は上述したような問題を解消して、円筒構造物の横継ぎ肌合せ時に円筒構造物の自重たわみを抑制し、呼び寄せが可能となり、しかも円筒構造物の肌合せに関する治具跡を片面にのみにする円筒構造物の横継ぎ及び積み重ね肌合せのいずれにも適用可能な肌合せ方法を提供するものである。その発明の要旨とするところは、
突合せ溶接する円筒構造物の双方に、該円筒構造物の自重たわみを抑制するリング状補強材を各々溶接にて取付け、該リング状補強材に肌合せ治具を固定し、該肌合せ治具の端部または肌合せ治具に設けた接合板の下部に配設した油圧ジャッキまたは鋼製くさびにて両円筒構造物を肌合せした後、該両円筒構造物間に渡設した呼び寄せボルトにて該円筒構造物を呼び寄せた後、開先裏面に取付溶接を行いながら全周仮付溶接により前記両構造物を接合することを特徴とする円筒構造物の肌合せ方法にある。
【０００５】
【発明の実施の形態】
以下、本発明について図面に従って詳細に説明する。
図１は本発明に係る一実施例を示す円筒構造物にリング状の補強部材を取り付けた正面図である。この図に示すように、円筒構造物１Ａ、１Ｂの両端部にリング状補強材２Ａ、２Ｂを溶接した大型円筒構造物を肌合せ及び呼び寄せする方法であって、その肌合せ及び呼び寄せ状態を図２に示す。すなわち、図２は本発明に係る一実施例を示す円筒構造物の肌合せ及び呼び寄せする方法の説明図である。この図に示すように、円筒構造物１Ｂにリング状補強材２Ｂを溶接固定した肌合せ治具３の端部に設けた油圧ジャッキまたは鋼製くさび４にて接近させた円筒構造物１Ａと肌合せを行う。また、円筒構造物１Ａに溶接したリング状補強材２Ａと円筒構造物１Ｂに溶接したリング状補強材２Ｂを呼び寄せボルト５にて円筒構造物１Ａと円筒構造物１Ｂを呼び寄せた後に目違い肌合せが完了した後、開先裏側に取付溶接を行いながら全周仮付溶接を完了する。かくして肌合せ治具等を除いた後本溶接を行って円筒構造物１Ａ及び１Ｂを接合する。
【０００６】
このようにリング状補強材を介して肌合せするため、円筒構造物の肌合せ時に発生する治具溶接跡がリング状補強材と円筒構造物との溶接部分に限定することができ、リング状補強材取付け面として内面、外面を選択することにより、治具溶接跡をいずれの面に残すか残さないかの選択が出来る。また、肌合せ治具を直接円筒構造物に溶接固定しないため、肌合せ治具溶接跡が残らないし、横継ぎ肌合せ、積み重ね肌合せのいずれの円筒構造物肌合せに対しても大小問わず対応出来、任意の箇所で肌合せが出来るものである。
【０００７】
図３は本発明に係る他の実施例を示す円筒構造物にリング状の補強部材を取り付けた正面図である。この図に示すように、図１と同様に円筒構造物１Ａ、１Ｂの両端部にリング状補強材２Ａ、２Ｂを溶接した大型円筒構造物を肌合せ及び呼び寄せする方法について図４に示す。すなわち、図４は本発明に係る他の実施例を示す円筒構造物の肌合せ及び呼び寄せする方法の説明図である。この図に示すように、コ状の肌合せ治具７に接合板８を溶接固定させ、一方、この接合板８と一体ネジ止め可能な接合板８´を一体ネジ固定した後接合板８´の下端に設けた油圧ジャッキまたは鋼製くさび４にて円筒構造物１Ａと１Ｂの両端を肌合せした後、円筒構造物１Ａに溶接したリング状補強材２Ａと円筒構造物１Ｂに溶接したリング状補強材２Ｂとを呼び寄せ治具６を介して呼び寄せボルト５にて円筒構造物１Ａと円筒構造物１Ｂを呼び寄せた後に目違い肌合せが完了した後、開先裏側に取付溶接を行いながら全周仮付溶接を完了する。かくして呼び寄せボルト等を除いた後本溶接を行って円筒構造物１Ａ及び１Ｂを接合する。
【０００８】
図５は本発明に係る円筒構造物の肌合せ及び呼び寄せが行われた状態を示す図である。この図５に示すように、円筒構造物１Ａと１Ｂは各リング状補強材は肌合せ治具９及び呼び寄せ治具１０された状態を示している。
図６は本発明に係る呼び寄せ治具の詳細図である。この図６に示すように、円筒構造物１Ａにリング状補強材２Ａが固着され、そのリング状補強材２Ａを抱き込んで固定されるように呼び寄せ治具６が嵌合される。
【０００９】
このように、本発明での円筒構造物の肌合せにおいては円筒構造物の自重たわみ抑制用のリング状補強材を有することから、横継ぎ肌合せ、積み重ね肌合せのいずれも対応可能となり、また、リング状補強材を外面に設けることで、例えば、タンク類の内面治具溶接跡なしの肌合せが可能になり、定期的に実施する開放検査時の多大な内面治具溶接跡の検査費用を抑えることが出来、さらには、円筒構造物の自重たわみ抑制用のリング状補強材を有することから、ターニングローラによる鉄皮の局部変形の抑制が可能となり、薄肉及び大径円筒構造物の横継ぎを回転させながら肌合せが出来、作業性が極めて向上するものである。
【００１０】
【発明の効果】
以上述べたように、本発明により横継ぎ肌合せ、積み重ね肌合せのいずれも可能となり、しかも従来に比較して作業性が極めて向上し、コスト低減を図ることが出来る等工業上極めて優れた効果を奏するものである。
【図面の簡単な説明】
【図１】  本発明に係る一実施例を示す円筒構造物にリング状の補強部材を取り付けた正面図である。
【図２】  本発明に係る一実施例を示す円筒構造物の肌合せ及び呼び寄せする方法の説明図である。
【図３】  本発明に係る他の実施例を示す円筒構造物にリング状の補強部材を取り付けた正面図である。
【図４】  本発明に係る他の実施例を示す円筒構造物の肌合せ及び呼び寄せする方法の説明図である。
【図５】  本発明に係る円筒構造物の肌合せ及び呼び寄せが行われた状態を示す図である。
【図６】  本発明に係る呼び寄せ治具の詳細図である。
【図１】
0003639675.tif 000002
【図２】
0003639675.tif 000003
【図３】
0003639675.tif 000004
【図４】
0003639675.tif 000005
【図５】
0003639675.tif 000006
【図６】
0003639675.tif 000007